(57)【特許請求の範囲】
【請求項１】
バッグ（８）が上面に載置される平面視長方形状の荷台部（５）と、該荷台部（５）の前端縁部（１１）及び後端縁部（１２）の各々の左右方向中央部から上方へ立設される前後一対のハンドル杆（２）（２）と、該ハンドル杆（２）（２）の上端部（２ａ）（２ａ）に前後方向連結状に設けられるハンドルグリップ部（３）とを、備えたウォーキングキャリーに於て、
上記荷台部（５）の底壁部（１０）に酸素ボンベ載置用低床部（９）が凹設され、かつ、上記バッグ（８）の中間高さ位置の内面に酸素ボンベ固定用ベルト部材（７）が付設され、酸素ボンベ（Ｔ）が上記低床部（９）に載置されて上記ベルト部材（７）によって鉛直姿勢に保持されるように構成されていることを特徴とするウォーキングキャリー。
【請求項２】
上記バッグ（８）の底面部（８Ａ）には、上記低床部（９）に対応する凹部（１６）が形成されている請求項１記載のウォーキングキャリー。
【請求項３】
上記荷台部（５）は、首振り可能の可動部材（１３）に枢着された左右一対の前方車輪（４Ａ）（４Ａ）と、固定軸によって枢支された左右一対の後方車輪（４Ｂ）（４Ｂ）とを、有し、
上記低床部（９）は、上記前方車輪（４Ａ）（４Ａ）に干渉しないように上記底壁部（１０）の後端部寄りに配設されている請求項１又は２記載のウォーキングキャリー。
【発明の詳細な説明】
【技術分野】
【０００１】
本発明は、ウォーキングキャリーに関する。
【背景技術】
【０００２】
従来、呼吸器疾患により心肺の機能が著しく低下した患者は、高濃度の酸素を常時吸引する必要がある為、短時間の外出の際でも、患者は酸素ボンベを搬送具に乗せて持ち運び、酸素吸引を行っていた（特許文献１参照）。
【０００３】
しかし、特許文献１記載の酸素ボンベ搬送具には、酸素ボンベ以外の買物品やその他の荷物を乗せて運ぶことができない為、使用者は別途バックを手持ちするか手押し車等を引いて歩く必要があった。
従来より、本出願人は、重い荷物を運ぶためのウォーキングキャリーを提案している（特許文献２参照）。
【先行技術文献】
【特許文献】
【０００４】
【特許文献１】特開平１０−１９２４０７号公報
【特許文献２】特開２０１２−１７００４号公報
【発明の概要】
【発明が解決しようとする課題】
【０００５】
しかし、特許文献２記載のウォーキングキャリーの荷台に、酸素ボンベを乗せて使用する場合、酸素ボンベを左側方か右側方のどちらかに傾けて載置せざるを得なかった。即ち、酸素ボンベを鉛直姿勢として荷台の上に置くことができなかった。重量の重い酸素ボンベが傾いて置かれると、重心が左右のどちらかに偏在した状態となり、ウォーキングキャリーの左右方向のバランスが悪くなり、転倒する虞れがあった。また、重心の位置が高くなる為、転倒の危険性はより一層高くなっていた。また、酸素ボンベを乗せてバランスを失ったウォーキングキャリーを真っ直ぐに走行させるのは至難であった。
【０００６】
そこで、本発明は、酸素ボンベを安定して安全に持ち運びできるウォーキングキャリーを提供することを目的とする。
【課題を解決するための手段】
【０００７】
本発明に係るウォーキングキャリーは、バッグが上面に載置される平面視長方形状の荷台部と、該荷台部の前端縁部及び後端縁部の各々の左右方向中央部から上方へ立設される前後一対のハンドル杆と、該ハンドル杆の上端部に前後方向連結状に設けられるハンドルグリップ部とを、備えたウォーキングキャリーに於て、上記荷台部の底壁部に酸素ボンベ載置用低床部が凹設され、かつ、上記バッグの中間高さ位置の内面に酸素ボンベ固定用ベルト部材が付設され、酸素ボンベが上記低床部に載置されて上記ベルト部材によって鉛直姿勢に保持されるように構成されているものである。
【０００８】
また、上記バッグの底面部には、上記低床部に対応する凹部が形成されているものである。
また、上記荷台部は、首振り可能の可動部材に枢着された左右一対の前方車輪と、固定軸によって枢支された左右一対の後方車輪とを、有し、上記低床部は、上記前方車輪に干渉しないように上記底壁部の後端部寄りに配設されているものである。
【発明の効果】
【０００９】
本発明のウォーキングキャリーによれば、荷台部に酸素ボンベを載置しても、重心を左右方向中心位置に保って左右に転倒する危険性を低減でき、かつ、重心を低くして、安定して走行することができる。
【図面の簡単な説明】
【００１０】
【図１】本発明の実施の一形態を示した側面図である。
【図２】本発明の実施の一形態を示した平面図である。
【図３】本発明の実施の一形態を示した正面図である。
【図４】使用状態を一部破断して示す斜視図である。
【図５】本発明の実施の一形態を示した要部断面側面図である。
【図６】本発明の他の実施形態を示した要部断面正面図である。
【発明を実施するための形態】
【００１１】
以下、実施の形態を示す図面に基づき本発明を詳説する。
図１〜図４に示すように、本発明のウォーキングキャリーは、バッグ８が上面に載置される平面視長方形状の荷台部５と、荷台部５の前端縁部１１及び後端縁部１２の各々の左右方向中央部から上方へ立設される前後一対のハンドル杆２，２と、ハンドル杆２，２の上端部２ａ，２ａに前後方向連結状に設けられるハンドルグリップ部３とを、備えている。ハンドル杆２は、外パイプ２０と、外パイプ２０に上下スライド自在に差し込まれた内パイプ２１とを有する伸縮自在の２重パイプ構造であり、外パイプ２０から内パイプ２１を引出し・収納してハンドル杆２を伸縮させることで、ハンドルグリップ部３の高さ調整が可能となっている。前後のハンドル杆２，２の中間高さ位置（外パイプ２０，２０の上端部）には、バッグ支持用枠体６が連結されている。バッグ支持用枠体６は、バッグ８を右側方（又は左側方）に避けるように平面視コの字状に形成されている。なお、図中矢印Ｓ方向は、進行方向の前方である。
【００１２】
荷台部５の下方位置には、転動自在の４個の車輪４，４，４，４が設けられている。４個のうちの前方の２個の車輪４Ａ，４Ａは、荷台部５の底壁部１０の前方下面に取付けられた首振り可能の可動部材１３に枢着され、可動部材１３を中心に所定角度で回転可能とし左右に方向を変えることができるように取着されている。一方、後方の２個の車輪４Ｂ，４Ｂは、底壁部１０の後方下面（後述の低床部９の下面）に枢着された固定軸によって枢支され、進行方向Ｓに向けて固定されている。
ハンドルグリップ部３は、左右方向中央線に沿って配設されており、使用者が握り易いように緩やかな上方弯曲弓型に形成されている。ハンドルグリップ部３は、下方にブレーキレバー２２が揺動自在に設けられ、ハンドルグリップ部３及びハンドル杆２には、ブレーキレバー２２の操作により後方の車輪４Ｂ，４Ｂを制動する制動力伝達機構が内設されている。
【００１３】
図４と図５に示すように、荷台部５は、底壁部１０に酸素ボンベＴを載置するための低床部９が凹設されている。なお、バッグ８の底面部８Ａには、低床部９に対応する凹部１６が形成されている。
荷台部５は、底壁部１０の後端部寄りに、低床部９が下方突出状に設けられている。この低床部９により、酸素ボンベＴの載置面が低下し、重心を低くすることで、安定した走行が可能となる。また、低床部９が底壁部１０の後端部寄りに配設されることで、可動部材１３を中心として左右に動く前方車輪４Ａ，４Ａと低床部９が干渉しないように構成されている。
【００１４】
図４に示すように、バッグ８の中間高さ位置の内面には、酸素ボンベＴを固定するためのベルト部材７が付設されている。
ベルト部材７は、可撓性帯状体から成り、面状ファスナー等の着脱部材２５によって酸素ボンベＴを着脱自在に抱き込むように保持している。バッグ８内に収納される酸素ボンベＴは、低床部９に載置され、ベルト部材７によって鉛直姿勢に保持されている。なお、通常は、酸素ボンベＴが１本積み込まれて、バッグ８内の残りのスペースには、買物品やその他の荷物等を収納して使用され、酸素ボンベＴがベルト部材７によって鉛直姿勢に保持され、買物品やその他の荷物等を押しつぶすことがない。あるいは、予備の小さな酸素ボンベ（図示省略）を積載する場合には、バッグ８の内面に、第２のベルト部材１４を設けても良い。
【００１５】
図１と図４に示すように、荷台部５の下方位置には、後方車輪４Ｂ，４Ｂを制動するための揺動部材１７を備え、揺動部材１７は、一端の摩擦部１７ａを車輪４Ｂ，４Ｂの外周面に接触させて摩擦力を付与し、車輪４Ｂ，４Ｂの回転を制動・停止させるように構成されている。揺動部材１７は、制動力伝達機構を介してブレーキレバー２２に連結されている。制動力伝達機構は、具体的には、プッシュプルワイヤ１８を用いるのが好ましい。また、揺動部材１７には、摩擦部１７ａを後方車輪４Ｂ，４Ｂから離間させる方向に常時弾発付勢する弾発部材１９が取着されている。
ハンドルグリップ部３には、制動（ブレーキング）状態のブレーキレバー２２に係止して、その姿勢を保持する揺動係止手段２３が設けられている。また、ハンドル杆２には、伸縮可能（ロック解除）状態と規制（ロック）状態とを切換可能とした伸縮ロック手段を有し、ハンドルグリップ部３の上端縁に設けられた押しボタン部２４の操作によって、ハンドル杆２，２を伸縮させ、かつ、ハンドルグリップ部３を所望の高さ位置で多段階に位置決め・固定を可能としている。
【００１６】
図１〜図３に示すように、荷台部５は、前端縁部１１の近傍に、可動部材１３を首振り可能状態とし、かつ、前方車輪４Ａ，４Ａが進行方向Ｓに向けて可動部材１３が固定されるロック状態として、切換える切換レバー１５を備えている。切換レバー１５は、上方へ上げると可動部材１３が固定され、下方へ下げると可動部材１３が左右に首振りできるように切換える。
バッグ８は、上部に開閉自在の蓋部２６を有し、上部近傍の右側面にバッグ支持用枠体６に巻き付け可能な支持片２７を有している。また、バッグ８の下部近傍の前後両側面に、ハンドル杆２，２（外パイプ２０，２０）に巻き付け可能な可撓舌片２８，２８が付設されている。
【００１７】
上述した本発明のウォーキングキャリーの使用方法（作用）について説明する。
図４に示すように、荷台部５の低床部９に酸素ボンベＴを載置し、ベルト部材７によって酸素ボンベＴを鉛直姿勢に保ち、バッグ８に収納する。なお、酸素ボンベＴは、レギュレータ、チューブ、カニューレ等を付けた状態で、バッグ８に収納される。
バッグ８は、バッグ支持用枠体６に支持片２７を巻き付けて掛着し、内部に酸素ボンベＴを収納した状態で、荷台部５の上にて直立姿勢を保っている。バッグ支持用枠体６が右側方に偏在して平面視コの字状に形成されている為、酸素ボンベＴを左側方又は右側方に傾けることなく鉛直姿勢で立てて置くことができ、重心が左右方向に偏らない。
【００１８】
また、低床部９に酸素ボンベＴを載置することで、重心が低くなり、安定した走行が可能となる。低床部９は、底壁部１０の後端部寄りに配設され、前方車輪４Ａ，４Ａに干渉することがなく、左右への方向変換が容易である。酸素ボンベＴが後ろ側に積載されることで、重心が後方に偏在し、荷台部５の前端部を左右に振って操作し易くなる利点もある。バッグ８は、酸素ボンベＴを（１本）収納してもなお、十分な空きスペースが残存し、この空きスペースに、買物品やその他の荷物を入れることができ、あるいは、予備の酸素ボンベを積載しても良い。また、図５に示すように、低床部９及びその周壁部から成る下方凸状の壁部は、剛性と強度が高く、後方車輪４Ｂ，４Ｂの取付部位の強度が向上するという利点もある。
【００１９】
なお、本発明は、設計変更可能であって、例えば、図６に示すように、バッグ８の底面部８Ａに、底抜け孔部２９が設けられていても良く、酸素ボンベＴの下面を低床部９に直接載置しても良い。
【００２０】
以上のように、本発明に係るウォーキングキャリーは、バッグ８が上面に載置される平面視長方形状の荷台部５と、荷台部５の前端縁部１１及び後端縁部１２の各々の左右方向中央部から上方へ立設される前後一対のハンドル杆２，２と、ハンドル杆２，２の上端部２ａ，２ａに前後方向連結状に設けられるハンドルグリップ部３とを、備えたウォーキングキャリーに於て、荷台部５の底壁部１０に酸素ボンベ載置用低床部９が凹設され、かつ、バッグ８の中間高さ位置の内面に酸素ボンベ固定用ベルト部材７が付設され、酸素ボンベＴが低床部９に載置されてベルト部材７によって鉛直姿勢に保持されるように構成されているので、荷台部５に酸素ボンベＴを載置しても、重心を左右方向中心位置に保って左右に転倒する危険性を低減でき、かつ、重心を低くして、安定して走行することができる。
【００２１】
また、バッグ８の底面部８Ａには、低床部９に対応する凹部１６が形成されているので、酸素ボンベＴを安定して載置することができ、重心を低く安定して走行できる。
【００２２】
また、荷台部５は、首振り可能の可動部材１３に枢着された左右一対の前方車輪４Ａ，４Ａと、固定軸によって枢支された左右一対の後方車輪４Ｂ，４Ｂとを、有し、低床部９は、前方車輪４Ａ，４Ａに干渉しないように底壁部１０の後端部寄りに配設されているので、左右への方向変換を容易に行うことができ、安定してスムーズに走行できる。
【符号の説明】
【００２３】
２  ハンドル杆
２ａ  上端部
３  ハンドルグリップ部
４Ａ  前方車輪
４Ｂ  後方車輪
５  荷台部
７  ベルト部材
８  バッグ
８Ａ  底面部
９  低床部
１０  底壁部
１１  前端縁部
１２  後端縁部
１３  可動部材
１６  凹部
Ｔ  酸素ボンベ
【要約】
【課題】酸素ボンベを安定して安全に持ち運びできるウォーキングキャリーを提供する。
【解決手段】バッグ８が上面に載置される平面視長方形状の荷台部５と、荷台部５の前端縁部１１及び後端縁部１２の各々の左右方向中央部から上方へ立設される前後一対のハンドル杆２，２と、ハンドル杆２，２の上端部２ａ，２ａに前後方向連結状に設けられるハンドルグリップ部３とを、備えたウォーキングキャリーに於て、荷台部５の底壁部１０に酸素ボンベ載置用低床部９が凹設され、かつ、バッグ８の中間高さ位置の内面に酸素ボンベ固定用ベルト部材が付設され、酸素ボンベＴが低床部９に載置されてベルト部材によって鉛直姿勢に保持されるように構成されている。
【選択図】図１【図１】
0005827378.tif 000002
【図２】
0005827378.tif 000003
【図３】
0005827378.tif 000004
【図４】
0005827378.tif 000005
【図５】
0005827378.tif 000006
【図６】
0005827378.tif 000007